【事件の表示】
　特許第３２０１５１５号「印刷データ生成装置、印刷データ生成方法、印刷装置及び印刷システム」の請求項１、２、６に係る特許に対する特許異議の申立てについて、次のとおり決定する。
【結　論】
　特許第３２０１５１５号の請求項１、２、６に係る特許を維持する。
【理　由】
【１】手続の経緯
　本件特許第３２０１５１５号の発明は、平成９年６月９日に特許出願（特願平９ー１５１４１２号）されたものであって、平成１３年６月２２日にその特許（請求項の数１１）について設定登録がなされ、平成１３年８月２０日に特許公報が発行され、その後、その特許（請求項１、２、６）について平成１４年２月２０日に大木茂より特許異議の申立てがなされたものである。
【２】本件特許発明
　本件特許第３２０１５１５号は「印刷データ生成装置、印刷データ生成方法、印刷装置及び印刷システム」に係るものであって、その発明は、特許査定時の明細書及び図面の記載からみてその特許請求の範囲の請求項１乃至１１に記載されたものであり、本件異議申立てに係る請求項１、２、６に記載された発明は、次のとおりのものである。
「【請求項１】
Ａ．印刷装置の各印刷機能をそれぞれ利用するための実行モジュールと、
Ｂ．前記印刷装置に対応付けられ、前記各実行モジュールを適宜協調動作させて印刷データを生成する印刷データ生成手段とを備え、
Ｃ．前記印刷データ生成手段は、選択された印刷装置に対応するモジュール構成情報に基づいて、前記各実行モジュールのうち前記選択された印刷装置が要求する実行モジュールを呼び出すモジュール呼び出し手段を有し、
Ｄ．前記呼び出された各実行モジュールを協調動作させることにより、前記選択された印刷装置に送信するための印刷データを生成することを特徴とする印刷データ生成装置。
　【請求項２】
Ｅ．前記印刷データ生成手段には、前記選択された印刷装置に対応するモジュール構成情報の取得を要求するモジュール構成情報要求手段を設けたことを特徴とする請求項１に記載の印刷データ生成装置。
　【請求項６】
Ｆ．印刷装置を選択するステップと、
Ｇ．前記印刷装置に対応するモジュール構成情報の取得を要求するステップと、Ｈ．前記モジュール構成情報に基づいて、前記印刷装置の各印刷機能を利用するための実行モジュールを呼び出すステップと、
Ｉ．前記呼び出された各実行モジュールを協調動作させることにより、前記印刷装置に送信するための印刷データを生成するステップと、を備えたことを特徴とする印刷データ生成方法。」
（なお、符号Ａ〜Ｉは、便宜上付加したものである。）　
【３】特許異議の申立てについて
（１）異議申立ての理由の要点
　異議申立人大木茂は、証拠方法として以下の甲第１乃至５号証を提出し、『本件請求項1、2、6に係る特許発明は、甲第1号証、甲第2号証、甲第3号証、甲第4号証、甲第5号証又はそれらの組み合わせに記載された発明に基づいて、その発明の属する技術の分野における通常の知識を有する者が容易に発明をすることができたものであるから、特許法第29条第2項の規定に該当するものであり、従って、上記発明に係る特許は同法第113条第2号の規定により取消されるべきものである。』旨主張している。（異議申立書第10頁末3行〜第11頁第3行）
＜証拠方法＞
　甲第１号証：特開平8-336012号公報（平成8年12月17日公開）
　甲第２号証：特開平9-097141号公報（平成9年4月8日公開）
　甲第３号証：特開平6-214796号公報（平成6年8月5日公開）
　甲第４号証：特開平7-013750号公報（平成7年1月17日公開）
　甲第５号証：「プログラミング WINDOWS Version3」(株)アスキー（1991年10月1日初版発行）
（２）異議申立人の主張（具体的な理由）
『ｃ．本件特許発明と証拠の対比
　本件特許発明の構成Ａ、構成Ｂ、構成Ｃ、構成Ｄ、構成Ｅ、構成Ｆ、構成Ｇ、構成Ｈ及び構成Ｉは、夫々、甲第1号証における
「プリンタ／ファクシミリドライバ40が備える複写機UIDLL、ファックスUIDLL、ダイナミックコンフイグDLL、画像入出力へッダーDLL（構成Ａ）」、
「画像入出力制御装置13に対応付けられ、複写機UIDLL、ファックスULDLL等を用いて印刷データを生成するコアプリンタドライバ（構成Ｂ）」、
「選択された印刷機能で必要とする実行モジュールである複写機DLLやファックスDLLを呼び出すこと（構成Ｃ）」、
「選択された印刷装置に送信するための印刷データを生成するべく、予め登録された各実行モジュールである複写機DLLやファックスDLLの中から必要とされる実行モジュールのみを用いてデータ生成処理を行うこと（構成Ｄ）」、
「デジタル複写機16の現在の構成、状態、及び能力に関して複写機16に問い合わせること（構成Ｅ）」、
「デジタル複写機を選択するか否かを確定すること（構成Ｆ）」、
「デジタル複写機16の現在の構成、状態、及び能力に関して複写機16に問い合わせること（構成Ｇ）」、
「ユーザが選択したデバイスに適する周辺モジュールである、複写機UIDLL、ファックスUIDLL等を呼び出すこと（構成Ｈ）」、
「呼び出されたモジュールはそれぞれ協調動作しながら印刷データを生成すること（構成Ｉ）」に対応する。
　このように、甲第1号証には請求項1，2，6の構成要件に対応する記載があるが、ここで、甲第1号証においては、選択された印刷機能で必要とする実行モジュールである複写機DLLやファックスDLLを呼び出す際に、モジュール構成情報に基づいていることが明記されていない点において、モジュール構成情報に基づいてモジュールを呼び出す本件特許発明と異なっている。
　しかしながら、甲第1号証においては、【0028】に「取得した現在の構成と現在の能力に対応する構成ライブラリ及び能力ライブラリのみが検索される」ことが記載されており、このようなライブラリであるファックスDLLや複写機DLLは動的にリンクされることから、当然にそのエントリポイントをDLLと対応づけたテーブルやレジストリ等のモジュール構成情報が用意されているはずであり、そのテーブルに基づいてDLLは呼び出されることになる。すなわち、上記相違点は、当業者には明らかであるが故に甲第1号証に記載されていないに過ぎず、DLLに関する技術常識（甲第5号証参照）を考慮すれば、甲第1号証にはその相違点についても示唆があるものといえる。つまり、このようなモジュール構成情報を備えていることで、格別の進歩性を主張することはできないものである。
　したがって、請求項1，2，6記載の発明は、すべて甲第1号証記載の発明から当業者が容易になし得たものである。
　さらに、請求項1および6については、甲第1号証を補強する証拠として、上述の通り甲第5号証を組み合わせても容易であると考える。
　また、本件特許発明の構成Ｄ及び構成Ｉは、ともに甲第2号証における「印刷用DLL12は標準インターフェース221を解析し、プリンタの種類によってコード体系の異なるプリンタ制御コード定義ファイル23を参照することにより、当該プリンタ用のプリンタ制御コード221を作成する」ことに対応する。このように、甲第1号証及び甲第2号証において、各実行モジュールがDLLであることが記載されていることからも、「印刷装置の各印刷機能を利用するための実行モジュール」や本件特許発明の「コアドライバ」が、複数の異なるプログラムから共通に利用できることは、当業者にとって周知技術である。すなわち、請求項1及び6は、甲第1号証及び甲第2号証の組み合わせからも容易であり、さらにこれに甲第5号証を組み合わせても容易になし得るものである。
　また請求項2については、引用請求項である請求項1に対応する甲第1号証に加えて、甲第3号証の「多重化モジュール選択ロード手段2は、上述の指示と多重化モジュール管理テーブル3とに基づき共通モジュール群および選択モジュール群を仮想空間20にロード」するとの記載からも容易である。すなわち、「多重化モジュール選択ロード手段2」により、モジュール構成を示す情報がロードされる。
　さらに、請求項2は、甲第4号証の「モジュール構成及び登録集の一覧表を、現時点の原始プログラムライブラリ群から取り出す」なる記載とも同一の構成を有している。すなわち「モジュール構成及び登録集の一覧表」はモジュール構成情報そのものであり、まさにこの点において甲第4号証は請求項2と一致している。甲第４号証は印刷装置に関する発明ではないものの、プログラムにより制御されている装置にあっては、モジュールやライブラリといった概念は一般的なものであって、印刷装置であろうと汎用のコンピュータであろうと、そのプログラム制御に関する技術の転用に何の困難性もないことは明らかある。したがって、請求項2は、甲第1号証及び甲第4号証からも容易であるといえる。』（異議申立書第8頁第24行〜第10頁第18行）
【４】当審の判断
（１）本件請求項１に係る発明について
［ａ］引用刊行物
　(a-1)甲第１号証（特開平8-336012号公報）には、プリンタ／ファクシミリドライバの呼び出し方法及びファクシミリ出力システム及びファクシミリカバーシートの生成方法に係わる発明が記載されており、その実施例及び図面を参酌すると、以下のような記載が認められる。
　・「本発明は、簡単な装置構成で、印刷動作とファクシミリ動作の双方を実行するためのプリンタ／ファクシミリドライバの呼び出し方法及びファクシミリ出力システム及びファクシミリカバーシートの生成方法を提供することを目的とする。」（段落番号【0004】）
　・「【課題を解決するための手段】本発明によれば、上記の目的は、印刷能力とファクシミリ能力の双方を提供し、かつファクシミリ能力を提供する場合には、まず、ファクシミリ文書の本体を生成し、次に、ファクシミリカバーシートを生成するために再度呼び出しが可能なプリンタ／ファクシミリドライバを提供することによって達成される。」（段落番号【0005】）
　・「【0019】図4は、ソフトウェアアプリケーション、ダイナミックリンクライブラリ、及び、プリンタ／ファクシミリドライバ40中に記憶されているプログラムとの関係を示すブロック図である。
　　　【0020】図4に示すように、プリンタ／ファクシミリドライバ40は、ユーザによる文書の作成、編集及び印刷を可能にするWindows用Word、または、Windows用Wordperfect（登録商標）など、既存のソフトウェアアプリケーション50とともに使用される。ユーザが文書印刷リクエストを入力すると、アプリケーション50は、標準のグラフィックスデバイスインターフェイス(GDI)52を呼び出し、GDIは、本発明に従って動作するコアプリンタドライバ53を呼び出す。印刷を行なおうとする場合、コアプリンタドライバ53は、単にアプリケーション50からプリントジョブをアセンブルし、プリントジョブをWindowsスプーラ55にスプールする。従来は、Windowsスプーラ55が、ここで、Windowsオペレーティングシステム、ネットワークソフトウェア、及びネットワークに搭載されたハードウェアとの間で、従来の手段を使用して、ネットワークを介してプリントジョブを出力する。
　　　【0021】これに対して、ファクシミリ出力を行なおうとする場合には、コアプリンタドライバ53が、ファクシミリユーザインターフェイス・ダイナミックリンクライブラリ（ファックスUIDLL）60を呼び出す。一般的には、ファックスUIDLL60は、ファクシミリユーザインターフェイスを生成し、ファクシミリジョブの開始時に、ファクシミリカバーシートをプレフィクス(pre-fix)する。しかし、ファクシミリカバーシートは、ファックスするページ数を含んでいなければならず、また、そのような情報は、ファクシミリジョブの残りの部分を処理するまでは分からないので、次のような工程を実行する。
　　　【0022】まず、ファックスUIDLL60は、ファクシミリ文書の本体を作成するために（ファクシミリジョブ）、文書がディスク31中の特定の記憶場所へスプールされることをコアプリンタドライバ53に通知するファックスフラグをセットすることにより、コアプリンタドライバ53を呼び出す。しかしながら、この時点では、コアプリンタドライバ53は、Windowsスプーラ55を介してスプールせず、ファクシミリ文書の本体をディスク31へスプールする。さらに、ファクシミリ文書の本体をディスク31へスプールし終わった後、コアプリンタドライバ53は、その出力を完了したことをファックスUIDLL60に報告し、ファクシミリ文書中のページ数をファックスUIDLL60に提示する。
　　　【0023】次に、出力がディスク31へスプールされたことを示すコアプリンタドライバ53からの通知に応答して、ファックスUIDLL60は、再びコアプリンタドライバ53を呼び出すが、この時点では、ファクシミリカバーシート情報と、文書をディスク31へスプールし、かつ、動作をファックスUIDLL60に戻すことをコアプリンタドライバ53に指示するもう１つのファックスフラグとを伴っている。この点に関しての、ファクシミリカバーシート情報を得る方式については、後にさらに詳細に説明する。この場合にも、コアプリンタドライバ53は、ファクシミリカバーシートへWindowsスプーラ55へスプールするのではなく、ディスク31へスプールする。
　　　【0024】ファックスUIDLL60は、ディスク31からカバーシートファイルとファクシミリ本体ファイルを検索し、その２つを適正な順序で、画像入出力制御装置ヘッダコードDLL62から得られる適切なヘッダとともにWindowsスプーラ55へスプールする。画像入出力制御装置ヘッダ情報を得たならば、ファクシミリカバーシートとファクシミリ文書は、画像入出力制御装置13に至るネットワーク57へスプールされ、ネットワーク57は、画像入出力制御装置ヘッダ情報に基づいて、ファクシミリ文書ファイルを適切な宛先へ経路指定する。画像入出力制御装置13がファクシミリオプションボードを含んでいるならば、ファクシミリ文書は、電話回線15を介して直接、送信されるのが普通である。」（段落番号【0019】〜【0024】）
　・「＜デジタル複写機のグラフィカルユーザインターフェイスの生成及び表示＞　本発明によれば、プリンタ／ファクシミリドライバ40は、ソフトウエアプログラム、すなわち、図4に示す複写機ユーザインターフェイスダイナミックリンクライブラリ（複写機UIDLL）65を含み、これは、デジタル複写機16の現在の構成、状態、及び能力に関して複写機16に問い合わせるためのプロセスステップを含むソフトウェアプログラムである。複写機UIDLL65は、複写機構成グラフィカル画像及びコマンド、複写機能力グラフィカル画像及びコマンドのライブラリ、並びにデジタル複写機16の構成と能力に対応するユーザが選択可能なジョブオプションのライブラリをさらに含む。」（段落番号【0025】）
　・「コンピュータ機器11のようなユーザのワークステーションで、ユーザからの命令を受け取ると、複写機UIDLL65は、デジタル複写機16の現在の構成を知り、かつ、その特定の時点におけるデジタル複写機16の能力に関する情報を獲得するためにデジタル複写機16に問い合わせを行ない、また、その情報を複写機UIDLL65に戻すために、ダイナミックコンフィギュレーションダイナミックリンクライブラリ（ダイナミックコンフィグDLL）56へ要求を送信する。」（段落番号【0026】）
　・「【0034】図7において、Wordperfectのようなワード処理アプリケーションで文書を完成させたとき、または、印刷すべき文書を検索したとき、現在動作しているワード処理アプリケーションを介して送信されたプリントリクエストは、ステップS701で、プリントジョブに関して、装置オプションを表示させる。ステップS702では、ネットワーク化されたデジタル複写機16を選択するか否かを確定する。ステップS702でデジタル複写機を選択しなかった場合、ステップS705で、GDI42は、ユーザの選択に基づいて、ローカルスキャナ、またはローカルファクシミリ装置の装置ドライバのような適切な周辺装置ドライバを呼び出す。しかしながら、ステップS702で、ネットワークデジタル複写機16が選択された場合には、処理をステップS706へ進め、そこでGDI42は、複写機UIDLL65を呼び出す。
　　　【0035】複写機UIDLL65の呼び出しに際して、ダイナミックコンフィグDLL56を介し、LAN10を経て、デジタル複写機16へ構成及び能力の問い合わせを送信することにより、デジタル複写機16の構成の状態を直ちに要求する（ステップS707）。デジタル複写機16から、要求した構成と能力についての情報が戻されると、複写機UIDLL65は、デジタル複写機16によって問い合わせが受信された特定の時点におけるデジタル複写機16の現在の構成と現在の能力を表わすグラフィカルユーザインターフェイスを生成する。」（段落番号【0034】【0035】）
　・「【発明の効果】以上説明したように、本発明によれば、簡単な装置構成、かつ装置内で必要とされるメモリ量を軽減して、ファクシミリ文書の本体を生成し、ファクシミリカバーシートを生成することができる。」（段落番号【0062】）
　以上の記載によれば、甲第１号証には以下のような発明（本件請求項１記載の発明に則して記載する。）が開示されているものと認められる。
「ａ．選択されたデジタル複写機(16)又は相手ファクシミリと画像入出力制御装置(13)の機能をそれぞれ利用するためのプリンタ／ファクシミリドライバ(40)は、複写機UIDLL(65)、ファックスUIDLL(60)、ダイナミックコンフィグDLL(56)、画像入出力制御装置へッダDLL(62)を備え、
　ｂ．前記デジタル複写機(16)又は相手ファクシミリと画像入出力制御装置(13)に対応付けられ、複写機UIDLL(65)又はファックスULDLL(60)等を協調動作させてデータを生成するコアプリンタドライバ(53)及びグラフィックスデバイスインターフェイスGDI(52)を備え、
　ｃ．前記コアプリンタドライバ(53)及びグラフィックスデバイスインターフェイスGDI(52)は、選択された機能で必要とする複写機UIDLL(65)又はファックスUIDLL(60)を呼び出す手段を有し、
　ｄ．予め登録された前記複写機DLL(65)又はファックスDLL(60)を用いて、選択されたデジタル複写機(16)又は相手ファクシミリと画像入出力制御装置(13)に送信するためのデータを生成する画像入出力ネットワークシステム。」
　(a-2)甲第２号証（特開平9-97141号公報）には、Windows(10)によるプリンタ(18)へのデータの生成に係るもので、プリンタの種類に応じた印刷(DLL12)と従来のGDI経由の印刷(DLL13)とを動的に切り換え可能なモジュール構造とすること（【0015】）、DLL12、13を動的に切り換えることによりGDIの機能を利用できて膨大なプリンタの種類に簡単に対応できること（【0048】）、及び段落【0038】に「印刷用DLL12は標準インターフェース221を解析し、プリンタの種類によってコード体系の異なるプリンタ制御コード定義ファイル23を参照することにより、当該プリンタ用のプリンタ制御コード221を作成する」ことが記載されている。
　(a-3)甲第３号証（特開平6-214796号公報）には、「多重化モジュール選択ロード手段2は、上述の指示と多重化モジュール管理テーブル3とに基づき共通モジュール群および選択モジュール群を仮想空間20にロードし、……仮想空間20にロードされたモジュールにパッチ格納ファイル30内のパッチを適用」することが記載されている。（第1頁左下欄）
　(a-4)甲第４号証（特開平7-013750号公報）には、プログラムモジュールの管理方法に係るもので、最新のモジュール構成および登録集の一覧表を、現時点の原始プログラムライブラリ群から取り出すことを目的とし、その段落【0016】に「モジュール構成及び登録集の一覧表を、現時点の原始プログラムライブラリ群から取り出すことを可能とすることにより、システム全体のモジュールの関連を的確に把握する」ことが記載されている。
　(a-5)甲第５号証（「プログラミングWINDOWS Version3」）には、DLL(Dynamic Link Libraries)の説明が記載されており、「DLLは、ほかのプログラムやDLLが特定の処理を行うために呼び出す関数を集めたファイルである」こと、及び「DLLの目的の１つは、多くの異なるプログラムから共通に利用できる関数やリソースを提供すること」が記載されている。また、DLLの名称ダイナミックリンクライブラリという呼称について「ダイナミックリンクという用語は、Windowsが、実行時にあるモジュールの関数呼び出しとDLLモジュール中の関数本体をリンクする処理を指す」ことが記載されている。
［ｂ］対比・判断
　本件請求項１に係る発明と前記甲第１号証（特開平8-336012号公報）に記載された発明（以下「引用発明」という。）とを対比すると、引用発明における「複写機UIDLL(65)、ファックスUIDLL(60)、ダイナミックコンフィグDLL(56)、画像入出力制御装置へッダDLL(62)」は各機能を利用するための実行プログラムであるから、本件請求項１に係る発明における「実行モジュール」に対応され、また引用発明における「コアプリンタドライバ(53)及びグラフィックスデバイスインターフェイスGDI(52)」は請求項１に係る発明における「印刷データ生成手段」に対応させることができるから、両者は以下(1)(2)の点で相違し、その余は一致するものと認められる。
（相違点）
　(1)　実行モジュールが、本件請求項１に係る発明にあっては、印刷装置の各印刷機能を利用するものであるのに対して、引用発明にあっては、デジタル複写機(16)や相手ファクシミリ等の各機能を利用する複写機UIDLL(65)やファックスUIDLL(60)である点、
　(2)　本件請求項１に係る発明にあっては、呼び出された各実行モジュールを協調動作させることにより、前記選択された印刷装置に送信するための印刷データを生成するものであるのに対して、引用発明にあっては、複写機UIDLL(65)やファックスUIDLL(60)によりデジタル複写機(16)や相手ファクシミリ等のためのデータを生成するものである点、
（検討）
　以下、相違点(1)(2)について、併せて検討する。
　本件請求項１に係る発明は、その請求項の記載において、実行モジュールは印刷装置の各印刷機能を対象として利用し、協調動作するものであるが、この「各印刷機能」及び「実行モジュール」について、本件明細書の段落番号【0009】に『「印刷装置の各印刷機能」とは、印刷装置が実行可能な各種印刷処理機能を意味し、例えば、カラー印刷機能、ページ印刷機能、高密度印刷機能、両面印刷機能等が含まれる。「実行モジュール」とは、各印刷機能を利用するための実行プログラムである。具体的には、例えば、モノクロページプリンタの場合には、ページ単位で印刷する機能、モノクロ画像として印刷する機能等を有しているため、このモノクロページプリンタを利用するには、ページ単位の印刷データを生成する実行モジュール、モノクロの印刷データを生成する実行モジュール等が必要となる。』と記載されており、また該請求項１において「呼び出された各実行モジュールを協調動作させる」こととして、前記印刷装置で所定の（呼び出された）印刷が行われるものである。
　しかしながら、前記甲第２号証乃至甲第５号証には前記したようにDLL(Dynamic Link Libraries)に係わる技術的事項が開示されているにとどまるものであり、また実行モジュールをDLL(Dynamic Link Libraries)構成として協調動作させること自体は当業者における周知の技術的事項（前記甲第５号証等参照）であるものの、本件請求項１に係る発明の具体的構成、すなわち「印刷装置の各印刷機能」であるカラー印刷機能、ページ印刷機能、高密度印刷機能、両面印刷機能等の各種印刷処理機能をDLL構成として実行モジュールを構成することにより、例えば、モノクロページプリンタの場合には、ページ単位で印刷する機能、モノクロ画像として印刷する機能等を有するものとなすこと、すなわち印刷装置の各印刷機能を利用することは、前記甲第２号証乃至甲第５号証の何れにも開示されておらず、さらにこの構成が自明乃至周知・慣用される技術的事項であるとも、あるいは当業者の技術常識によって適宜なし得る設計上の事項であるとも認められない。
　したがって、本件請求項１に係る発明は、前記相違点(1)(2)に係る構成について、甲第１号証乃至甲第５号証によっても当業者が容易になし得るものとは認められない。
（２）本件請求項２に係る発明について
　本件請求項２に係る発明は、前記【２】記載のとおり請求項１に係る発明を引用するものであって、印刷データ生成手段についての構成をさらに限定するものである。
　したがって、請求項２に係る発明と前記甲第１号証における発明との対比・判断においても、少なくとも前記請求項１に係る発明におけると同様の相違点を有するものであり、その判断においても同旨であるからこれを引用する。
　よって、本件請求項２に係る発明は、甲第１号証乃至甲第５号証によっても当業者が容易になし得るものとは認められない。
（３）本件請求項６に係る発明について
［ａ］引用刊行物
　異議申立人が提出した甲第１号証乃至甲第５号証を引用し、各甲号証における記載事項は、前記【３】（１）［ａ］引用刊行物、に記載のとおりである。
［ｂ］対比・判断
　本件請求項６に係る発明は、前記【２】記載のように、請求項１における「印刷データ生成装置」に係る物の発明を方法の発明として規定した「印刷データ生成方法」に係る発明である。
　そこで本件請求項６に係る発明と甲第１号証（特開平8-336012号公報）に記載された発明とを対比すると、両者は少なくとも前記請求項１に係る発明と同様に相違点(1)(2)を有するものと認められる。
　したがって、請求項６に係る発明と前記甲第１号証における発明との対比・判断においても、前記請求項１に係る発明におけると同様であり、その判断においても同旨であるからこれを引用する。
　よって、本件請求項６に係る発明は、甲第１号証乃至甲第５号証によっても当業者が容易になし得るものとは認められない。
【５】むすび
　以上のとおりであるから、特許異議の申立ての理由及び証拠方法によっては、本件請求項１、２、６に係る発明の特許を取り消すことはできない。
　また、他に本件請求項１、２、６に係る発明の特許を取り消すべき理由を発見しない。
　よって、結論のとおり決定する。
【異議決定日】
平成１４年５月２２日（２００２．５．２２）